(57)【要約】【課題】  建物開口枠内に設置される目隠し用若しくは通風用構造物において、低コストで製造可能な簡易な構造を実現する。【解決手段】  枠面に垂直な方向に並設した２枚のパネルを有し、各々に対し複数の同形状の開口部をパネル面横方向に等間隔で配設すると共に、隣り合う該開口部同士の間隔を該開口部の幅と同一またはそれ以上としかつ、一方のパネルを固定すると共に、他方のパネルをパネル面横方向に少なくとも開口部の幅と同一の距離だけ可動とする。【選択図】    図１
2005090053.tif 000002
【特許請求の範囲】
【請求項１】
建物開口枠内に設置される目隠し用構造物において、
前記枠内に該枠面に対して垂直な方向に並設した２枚のパネルを有し、前記２枚のパネルの各々に対し複数の同形状の開口部をパネル面横方向に等間隔で配設すると共に、隣り合う該開口部同士の間隔を該開口部の幅と同一またはそれ以上としかつ、
前記建物に対して外側に設けた一方のパネルを固定すると共に、内側に設けた他方のパネルを前記パネル面横方向に少なくとも前記開口部の幅と同一の距離だけ可動としたことを特徴とする
建物開口枠内の目隠し用構造物。
【請求項２】
建物開口枠内に設置される目隠し用構造物において、
前記枠内に該枠面に対して垂直な方向に並設した３枚のパネルを有し、前記３枚のパネルの各々に対し複数の同形状の開口部をパネル面横方向に等間隔で配設すると共に、隣り合う該開口部同士の間隔を該開口部の幅の２分の１としかつ、
前記建物に対して最も外側に設けた一方のパネルを固定すると共に、内側に設けた２枚のパネルの一方を前記パネル面横方向に前記開口部の幅と同一の距離だけ可動とし、他方を前記パネル面横方向に前記開口部の幅の２分の１の距離だけ可動としたことを特徴とする
建物開口枠内の目隠し用構造物。
【発明の詳細な説明】
【技術分野】
【０００１】
本発明は、ベランダ柵や窓格子等の建物開口の枠内に設置される目隠し用乃至は通風用の構造物に関する。
【背景技術】
【０００２】
特許文献１に記載のブラインドは、面格子やベランダの保護柵に適用され、複数のブレードが開口縦方向に並設されている。各々のブレードは縦軸について回動可能であり、これらのブレードは連動して回動するように制御される。これにより採光や通風の状態並びに外界からの視線の遮断状況を調節する。
【特許文献１】特開２０００−２９７５８２号公報
【発明の開示】
【発明が解決しようとする課題】
【０００３】
しかしながら、特許文献１に記載の目隠し等のための構造物は、複数のブレードの各々が回動機構を具備しかつこれらを連動させるための機構も必要である。従って、構造が複雑でコスト高である。
【０００４】
そこで、本発明の目的は、建物開口枠内に設置される目隠し用若しくは通風用構造物（以下、単に「目隠し用構造物」と略称する）において、低コストで製造可能な簡易な構造を実現すると共に、その調節操作も容易とすることを目的とする。
【課題を解決するための手段】
【０００５】
上記の目的を達成すべく本発明は以下の構成を提供する。
（１）請求項１に係る建物開口枠内に設置される目隠し用構造物は、前記枠内に該枠面に対して垂直な方向に並設した２枚のパネルを有し、前記２枚のパネルの各々に対し複数の同形状の開口部をパネル面横方向に等間隔で配設すると共に、隣り合う該開口部同士の間隔を該開口部の幅と同一またはそれ以上としかつ、前記建物に対して外側に設けた一方のパネルを固定すると共に、内側に設けた他方のパネルを前記パネル面横方向に少なくとも前記開口部の幅と同一の距離だけ可動としたことを特徴とする。
【０００６】
（２）請求項２に係る建物開口枠内に設置される目隠し用構造物は、前記枠内に該枠面に対して垂直な方向に並設した３枚のパネルを有し、前記３枚のパネルの各々に対し複数の同形状の開口部をパネル面横方向に等間隔で配設すると共に、隣り合う該開口部同士の間隔を該開口部の幅の２分の１としかつ、前記建物に対して最も外側に設けた一方のパネルを固定すると共に、内側に設けた２枚のパネルの一方を前記パネル面横方向に前記開口部の幅と同一の距離だけ可動とし、他方を前記パネル面横方向に前記開口部の幅の２分の１の距離だけ可動としたことを特徴とする。
【発明の効果】
【０００７】
請求項１に係る目隠し用構造物は、枠面に対して垂直な方向において２枚のパネルの開口部が重なる位置にあるときは、良好な通風状態を実現すると共に、外界を見通すことができる。一方、内側のパネルをパネル面横方向に開口部の幅と同一の距離だけ移動させたときは、２枚のパネルの開口部が互いに完全にずれることから共通の開口部分がなくなり、通風及び外界からの視線を遮断することができる。また、内側の可動パネルを平行に僅かな距離だけ動かすのみでよいので、調節操作が容易である。
【０００８】
請求項２に係る目隠し用構造物は、枠面に対して垂直な方向において３枚のパネルの開口部が重なる位置にあるときは、最も良好な通風状態が得られると共に外界の見通しも最もよい。内側の２枚のパネルうち一方を開口部の幅と同一の距離だけ移動させたときは、開口部の大きさが最大の半分となり、中程度の通風状態及び見通し状態が得られる。さらに、内側の２枚のパネルのうちもう一方を開口部の幅の２分の１の距離だけ移動させたときは、３枚のパネルの共通の開口部分が完全になくなり、通風及び外界からの視線を遮断することができる。また、２枚の可動パネルを平行に僅かな距離だけ動かすのみでよいので、調節操作が容易である。
【発明を実施するための最良の形態】
【０００９】
以下、図面を参照しつつ本発明の実施形態を説明する。本発明の目隠し用構造物は、ベランダ枠や窓枠等の建物開口の枠内に設置されるものであり、例えば、ベランダ柵や窓格子の役割を果たすものである。尚、「目隠し用」とは、外界からの視線を遮断する機能を意味するが、本発明の目隠し用構造物は同時に外界から屋内へ風を通す「通風用」の機能も果たすことができる。
【００１０】
＜第１の実施形態＞
図１〜図３は、本発明の第１の実施形態を示す図である。図１は、本発明の目隠し用構造物を、ベランダ柵として適用した実施例を概略的に示した展開斜視図である。本例では、上向きのコの字状に形成されたベランダ枠３０が建物開口枠に相当し、この枠内に目隠し用構造物が設置される。尚、ベランダ床３１のある方を「内側」と表現する。
【００１１】
ベランダ枠３０内には、この枠面に対して垂直な方向（図中矢印参照）に２枚のパネル１１及び１２が並設される。外側のパネル１２は、固定パネルであり、ベランダ枠３０の設置面３３上にその一方の側面をベランダ枠３０に接して固定される。内側のパネル１１は、可動パネルであり、ベランダ枠３０の設置面３３上の下レール１３ｂと、上部カバー３２の下面に設けた上レール１３ａとの間に設置される。可動パネル１１の下面には下レール１３ｂと嵌合する溝状の下レール嵌合部１１ｃが設けられ、上面には上レール１３ａと嵌合する溝状の上レール嵌合部１１ｂが設けられる。これにより、可動パネル１１は、パネル面横方向（図中矢印参照、正逆両方向含む）に動くことができる。尚、各レールとパネルのレール嵌合部の形状は一例であり、他の嵌合形状（例えば、溝とレールの関係を逆とする）でもよい。好適には、可動パネル１１は取り外し可能であり、例えば、可動パネル１１を僅かに上に持ち上げればレール１３ａ、１３ｂから外れる構造とする（以下の実施例においても同様）。これにより、保守作業が容易となる。例えば、溝状のレールに溜まったごみ等を取り除くことができ、可動パネルのレール上の円滑な動きを維持することができる。
【００１２】
さらに、可動パネル１１と固定パネル１２の各々には、複数の同形状の開口部がそれぞれ設けられている。「同形状」としたのは、可動パネル１１と固定パネル１２のそれぞれの開口部が枠面に垂直な方向で重なることができるためである。また、各パネルの開口部を同形状とすることにより、製造コストも軽減できる。図示の例では、可動パネル１１に対してはパネル面縦方向（図中矢印参照）に長い１１個の開口部１１ａが、パネル面横方向に等間隔で穿設されている。固定パネル１２に対しても開口部１１ａと同形状（同じ幅及び長さ）の１１個の開口部１２ａが、パネル面横方向に等間隔で穿設されている。可動パネル１１における隣り合う開口部１１ａの間隔と、固定パネル１２における隣り合う開口部１２ａの間隔は同じである。加えて、両パネル１１、１２の各々において、隣り合う開口部同士の間隔は、１つの開口部の幅と同一またはそれ以上である。またさらに、可動パネル１１の可動距離は、少なくとも開口部１１ａ、１２ａの幅と同一の距離である。
【００１３】
図２及び図３は、図１のベランダ枠に適用した目隠し用構造物の使用態様を示す図である。図２（Ａ）は、可動パネル１１の各開口部１１ａと固定パネル１２の各開口部１２ａとが枠面に垂直な方向において最大に重なっている状態の前面図であり、図２（Ｂ）は、図２（Ａ）のＸ−Ｘ断面図である。図２（Ａ）では、開口部１１ａ、１２ａの幅をｄ１で示し、隣り合う開口部同士の間隔をｄ２で示している。図２（Ｂ）に示す開口部分は、双方のパネル１１、１２の開口部１１ａと１２ａが重なった部分であり、最も通風がよく外界を見通せる状態である。
【００１４】
図３（Ａ）は、可動パネル１１の各開口部１１ａと固定パネル１２の各開口部１２ａとが枠面に垂直な方向において全く重なっていない状態の前面図であり、図３（Ｂ）は、図３（Ａ）のＸ−Ｘ断面図である。図３（Ｂ）に矢印で示すように、可動パネル１１は図２の状態から開口部１１ａ，１２ａの幅だけ移動している。これにより、双方のパネル１１、１２の開口部１１ａと１２ａの重なりがなくなり、外界と屋内の通風が閉じられると共に、外界からの視線を遮断できる。
【００１５】
尚、可動パネルの移動距離は、上記で説明した距離に限られず、可動範囲内であれば任意の距離の移動が可能である。従って、通風及び視線の遮断の効果を、調節することができる。
【００１６】
＜第２の実施形態＞
図４〜図６は、本発明の目隠し用構造物の第２の実施形態を示す図である。第１の実施形態と同じくベランダ柵として適用した実施例として説明するが、展開斜視図については図１と類似するので省略する。本例と図１の主たる相違点は、１枚の固定パネルと２枚の可動パネルの３枚のパネルから構成される点である。
【００１７】
図４〜図６に示す第２の実施形態の使用態様を示す図であり、これらの図を参照してその構造も説明する。ベランダ枠３０内には、この枠面に対して垂直な方向（紙面に垂直な方向）に３枚のパネルが並設されている。これらの３枚のパネルは、最も外側の１枚の固定パネルと、内側の２枚の第１及び第２の可動パネルからなる。これらの各パネルには、第１の実施形態の各パネルと同様に、同形状の複数の開口部が実質的に等間隔で配置されている。図４（Ａ）は、第１可動パネル１１の各開口部１１ａと、第２可動パネル１２の各開口部１４ａと、固定パネル１２の各開口部１２ａとが枠面に垂直な方向において最大に重なっている状態の前面図であり、（Ｂ）は、（Ａ）のＸ−Ｘ断面図である。図４（Ａ）では第２可動パネル１４の全面と、固定パネル１２の右端が示されている。図４（Ｂ）に示す通り中央に位置する第１可動パネルは、図４（Ａ）ではほとんど現れていない。
【００１８】
図示の例では、第１及び第２の可動パネル１１及び１４に対してはパネル面縦方向（図中矢印参照）に長い４個の開口部１１ａ、１４ａが、パネル面横方向に等間隔で穿設されている。固定パネル１２に対しても開口部１１ａ、１４ａと同形状の４個の開口部１２ａが、パネル面横方向に等間隔で穿設されている。図４（Ａ）に、開口部の幅をｄ１で示す。可動パネル１１及び１４における隣り合う開口部１１ａ、１４ａ同士の間隔と、固定パネル１２における隣り合う開口部１２ａ同士の間隔は実質的に同じである。加えて、全てのパネル１１、１４及び１２の各々において、隣り合う開口部同士の間隔は、実質的に１つの開口部の幅の２分の１である。図４（Ａ）に、開口部同士の間隔をｄ２で示す。またさらに、中央の第１可動パネル１１の可動距離は、実質的に開口部１１ａ、１４ａ及び１２ａの幅と同一の距離である。一方、最も内側の第２可動パネル１４の可動距離は、実質的に開口部１１ａ、１４ａ及び１２ａの幅の２分の１の距離である。ここで「実質的」としたのは、可動パネルを動かすための取っ手部１１ｄ、１４ｄ等の厚さを無視して表現したためである。
【００１９】
尚、第１の実施形態と同じく、固定パネル１２は、ベランダ３０の設置面３３上にその一方の側面をベランダ枠３０に接して固定される。第１可動パネル１１は、ベランダ枠３０の設置面３３上の第１下レール１３ｂと、第１上レール１３ａとの間に設置される。第２可動パネル１４は、ベランダ枠３０の設置面３３上の第２下レール１５ｂと、第２上レール１５ａとの間に設置される。これにより、第１可動パネル１１及び第２可動パネル１４は、それぞれパネル面横方向（図中矢印参照、正逆両方向含む）に動くことができる。
【００２０】
また、第１可動パネル１１及び第２可動パネル１４の可動範囲をそれぞれ規定するストッパが設けられている。実施例では、可動パネル１１用のストッパは、ベランダ枠３０の可動パネルに接する面であり、可動パネル１４用のストッパ１６ｂは下レール１５ｂの端部に設けられている。
【００２１】
さらにまた、第１可動パネル１１を手で動かすときの取っ手となる取っ手部１１ｄは、開口部１１ａの一方の側部から枠面に垂直な方向に突出して設けられている。図示の例では、各開口部１１ａに取っ手部１１ｄが設けられているが、少なくとも１つあればよい。尚、第２可動パネル１４の取っ手部１４ｄも同様に開口部１４ａの側部に設けられる。取っ手部の形状及び数は、図示の例に限られない。
【００２２】
図４（Ｂ）に示す開口部分は、第１及び第２の可動パネル１１、１４の開口部１１ａ、１４ａと、固定パネル１２の開口部１２ａとが重なった部分であり、最も通風がよく外界を見通せる状態である。
【００２３】
図５（Ａ）は、図４の状態から中央の第１の可動パネル１１を開口部１１ａの幅と同じ距離だけ移動させた状態の前面図であり、図５（Ｂ）は図５（Ａ）のＸ−Ｘ断面図である。図５（Ｂ）の矢印で示すように、第１可動パネル１１は図４の状態から移動している。ベランダ枠３０の第１可動パネル１１に接する面３０ａがストッパの役割を果たしている。移動の際には、いずれかの取っ手１１ｄを持って動かすことができる。この状態では、図４（Ｂ）に示す開口部分の大きさは、開口部の幅の２分の１に相当する。従って、図４と比べて、通風状態も見通しも半分となる。
【００２４】
図６（Ａ）は、図５の状態からさらに、最も内側の第２可動パネル１４を開口部１４ａの幅の２分の１の距離だけ移動させた状態の前面図であり、図６（Ｂ）は図６（Ａ）のＸ−Ｘ断面図である。図６（Ｂ）の矢印で示すように、第２可動パネル１４は図５の状態から移動している。第２下レール１５ｂの右端のストッパ１６ｂにより移動距離が規定される。移動の際には、いずれかの取っ手１４ｄを持って動かすことができる。これにより、３枚のパネル１１、１４及び１２の開口部１１ａ、１４ａ及び１２ａの重なりが全くなくなり、外界と屋内の通風が閉じられると共に、外界からの視線を遮断できる。
【００２５】
第２の実施形態では、通風と、外界からの視線の遮断の効果を段階的に調節することができる。もちろん、各可動パネルの移動距離は、上記で説明した距離に限られず、可動範囲内であれば任意の距離の移動が可能である。
【００２６】
＜その他の実施形態＞
図７は、上記のいずれかの実施形態に適用可能なパネルの他の実施形態を示す概略図である。実線は固定パネル１２を表し、破線は移動した状態の可動パネル１１を表している。開口部の幅はｄ１で、隣り合う開口部同士の間隔はｄ２で示している。図７（Ａ）の例では、開口部１１ａ、１２ａの各々が、パネル縦方向に並んだ複数の菱形孔から構成されている。図７（Ｂ）の例では、開口部１１ａ、１２ａの各々が、パネル縦方向に並んだ複数の方形孔から構成され、かつ、隣接する開口部同士の間にもパネル縦方向に並んだ方形孔が設けられているが、可動パネル１１を通風及び視線を遮る位置に移動させたときには、開口部同士が重ならないように配置されている。
【００２７】
尚、上記の実施例では、開口部は通風を確保するために単なる孔としているが、適宜の網等を張ってもよい。また、通風を確保する必要のない場合は、透明若しくは半透明のガラスやプラスチックを嵌め込んでもよい。
【００２８】
また、本発明の目隠し用構造物は、通常の窓と併用してその内側に設置することもでき、その場合も開口部の位置を調節することにより、窓の鍵をかける際にも支障がなく、防犯にも役立つ。尚、目隠し用構造物自体にロック機構を設けてもよい。例えば、可動パネルを防犯上適切な位置に固定することができる鍵等を、建物開口の内側から操作可能な位置に設ける。具体的には、例えば、可動パネルがいずれの方向にも移動できないようにするストッパを、レール上に必要に応じて突出可能に設ける。これにより、目隠し用構造物自体が、もう１つの鍵付き窓若しくは戸の役割を果たすこととなり、防犯効果をより高めることができる。さらにまた、ベランダ等に設置した目隠し用構造物の可動パネルを、適当な位置で固定可能とするロック機構は、子供が不用意に操作して手を挟んだりする事故を防ぐ安全上の効果もある。
【００２９】
尚、本発明の目隠し用構造物の応用例として、可動パネルが上下方向に移動するように設置することも可能である。その場合は、例えば、上記の実施例の目隠し用構造物の各パネルを９０度回転した状態とし、上下レールの替わりに左右レール上を可動パネルが移動できるようにする。尚、上下方向移動させる場合には、可動パネルを所望する位置で止めるために、ロック機構等設ける。
【図面の簡単な説明】
【００３０】
【図１】本発明の目隠し用構造物を、ベランダ柵として適用した実施例を概略的に示した展開斜視図である。
【図２】（Ａ）は、可動パネル１１の各開口部１１ａと固定パネル１２の各開口部１２ａとが枠面に垂直な方向において重なっている状態の前面図であり、（Ｂ）は、（Ａ）のＸ−Ｘ断面図である。
【図３】（Ａ）は、可動パネル１１の各開口部１１ａと固定パネル１２の各開口部１２ａとが枠面に垂直な方向において全く重なっていない状態の前面図であり、（Ｂ）は、（Ａ）のＸ−Ｘ断面図である。
【図４】（Ａ）は、可動パネル１１、１４の各開口部１１ａ、１４ａと固定パネル１２の各開口部１２ａとが枠面に垂直な方向において重なっている状態の前面図であり、（Ｂ）は、（Ａ）のＸ−Ｘ断面図である。
【図５】（Ａ）は、図４の状態から中央の第１可動パネル１１を開口部１１ａの幅と同じ距離だけ移動させた状態の前面図であり、（Ｂ）は（Ａ）のＸ−Ｘ断面図である。
【図６】（Ａ）は、図５の状態からさらに第２可動パネル１４を開口部１４ａの幅と同じ距離だけ移動させた状態の前面図であり、（Ｂ）は（Ａ）のＸ−Ｘ断面図である。
【図７】その他のパネルの実施形態を示す図である。
【符号の説明】
【００３１】
１１  可動パネル（第１可動パネル）
１１ａ  開口部
１１ｂ  上レール嵌合部
１１ｃ  下レール嵌合部
１１ｄ  取っ手部
１２  固定パネル
１２ａ  開口部
１３ａ  上レール（第１上レール）
１３ｂ  下レール（第１下レール）
１４  第２可動パネル
１４ａ  開口部
１４ｄ  取っ手部
１５ａ  第２上レール
１５ｂ  第２下レール
１６ａ  上ストッパ
１６ｂ  下ストッパ
３０  ベランダ枠
３１  ベランダ床
３２ａ  上レール設置面
３３  設置面
【図１】
2005090053.tif 000003
【図２】
2005090053.tif 000004
【図３】
2005090053.tif 000005
【図４】
2005090053.tif 000006
【図５】
2005090053.tif 000007
【図６】
2005090053.tif 000008
【図７】
2005090053.tif 000009